【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
第１パネルと、第２パネルと、前記第１パネル及び前記第２パネルを駆動する駆動回路とを有する電気光学パネルにおいて、
前記第２パネルの前記第１パネル側の辺は、前記第１パネルの前記第２パネルの辺より小さく、
前記駆動回路は前記第１パネルの前記第２パネル側の辺に対向する一辺側に実装され、前記第２パネルは、前記第１パネルに前記第１パネルの前記一辺に対向する辺で接続され、
前記第２パネルにおいて前記一辺に直交する方向に配置された複数の第２のライン配線は、前記第１パネルにおいて前記一辺に直交する方向に配置された複数の第１のライン配線のうちの中央部分における連続して配置された一部のライン配線と電気的に接続されていることを特徴とする電気光学パネル。
【請求項２】
請求項１に記載の電気光学パネルが液晶パネルであることを特徴とする電気光学パネル。
【請求項３】
請求項１または請求項２に記載の電気光学パネルにおいて、前記複数の第２のライン配線と前記一部のライン配線とは、可撓性配線基板を介して電気的に接続されていることを特徴とする電気光学パネル。
【請求項４】
請求項１ないし請求項３のいずれか１項に記載の電気光学パネルにおいて、
前記複数の第１のライン配線と前記複数の第２のライン配線は、ほぼ直線形状を有し、さらに、前記複数の第１のライン配線と前記複数の第２のライン配線は互いにほぼ平行に配置されていることを特徴とする電気光学パネル。
【請求項５】
請求項１ないし請求項４のいずれか１項に記載の電気光学パネルにおいて、
前記第１の複数のライン配線と前記第２の複数のライン配線は、信号線であることを特徴とする電気光学パネル。
【請求項６】
請求項１ないし請求項４のいずれか１項に記載の電気光学パネルにおいて、
前記複数の第１のライン配線と前記複数の第２のライン配線は、走査線であることを特徴とする電気光学パネル。
【請求項７】
請求項１ないし請求項６のいずれか１項に記載の電気光学パネルにおいて、
前記複数の第１の配線の両側には、前記駆動回路と前記第２パネルとを電気的に接続する配線が形成されていることを特徴とする電気光学パネル。
【請求項８】
請求項１ないし請求項７のいずれか１項に記載の電気光学パネルにおいて、
前記第１パネルは、前記駆動回路から信号が供給される前記複数の第１のライン配線が配置された第１基板と、前記駆動回路から信号が供給される第１電極が配置された第２基板とを有し、
前記第２パネルは、前記駆動回路から信号が供給される前記複数の第２のライン配線が配置された第３基板と、前記駆動回路から信号が供給される第２電極が配置された第４基板とを有することを特徴とする電気光学パネル。
【請求項９】
請求項８に記載の電気光学パネルにおいて、
前記第１パネルには、
前記駆動回路と前記第１電極とを電気的に接続する第１配線と、
前記駆動回路と前記第２電極とを電気的に接続する第２配線と、
前記第１電極と前記第３電極とを電気的に接続する第３配線と、
前記駆動回路と前記第４電極とを電気的に接続する第４配線と
が配置されることを特徴とする電気光学パネル。
【請求項１０】
請求項９に記載の電気光学パネルにおいて、
前記第１配線、前記第２配線、前記第３配線および前記第４配線は、前記第１基板上に配置されていることを特徴とする電気光学パネル。
【請求項１１】
請求項１ないし請求項１０のいずれか１項に記載の電気光学パネルにおいて、
前記駆動回路は、
前記第１パネルが表示される場合には前記第２パネルへの走査信号の供給を停止し、前記第２のパネルが表示される場合には、前記第１のパネルへの走査信号の供給を停止する機能を有することを特徴とする電気光学パネル。
【請求項１２】
請求項１ないし請求項１１のいずれか１項に記載の電気光学パネルを有することを特徴とする電気光学装置。
【請求項１３】
請求項１２に記載の電気光学装置において、
複数の面をさらに有し、前記第１パネルおよび前記第２パネルは、それぞれ、前記複数の面のうちの異なる面に配置されることを特徴とする電気光学装置。
【請求項１４】
請求項１２または１３に記載の電気光学装置を有することを特徴とする電子機器。
【請求項１５】
請求項８に記載の電気光学パネルにおいて、
前記第１電極と前記第２電極は走査線であり、かつ、前記第１電極と前記第２電極とは電気的に接続されている
ことを特徴とする電気光学パネル。
【請求項１６】
請求項８に記載の電気光学パネルにおいて、
前記第１電極および前記第２電極は信号線であり、かつ、前記第１電極と前記第２電極とは電気的に接続されることを特徴とする電気光学パネル。
【手続補正２】
【補正対象書類名】明細書
【補正対象項目名】００１２
【補正方法】変更
【補正の内容】
【００１２】
【課題を解決するための手段】
上記目的を達成するため、本発明の電気光学パネルは、第１パネルと、第２パネルと、前記第１パネル及び前記第２パネルを駆動する駆動回路とを有する電気光学パネルにおいて、前記第２パネルの前記第１パネル側の辺は、前記第１パネルの前記第２パネルの辺より小さく、前記駆動回路は前記第１パネルの前記第２パネル側の辺に対向する一辺側に実装され、前記第２パネルは、前記第１パネルに前記第１パネルの前記一辺に対向する辺で接続され、前記第２パネルにおいて前記一辺に直交する方向に配置された複数の第２のライン配線は、前記第１パネルにおいて前記一辺に直交する方向に配置された複数の第１のライン配線のうちの中央部分における連続して配置された一部のライン配線と電気的に接続されていることを特徴とする。
この電気光学パネルによれば、第１パネルに供給される駆動信号の少なくとも一部を第２パネルに供給することができる。つまり、１つの駆動回路から第１パネルと第２パネルのそれぞれに共通の駆動信号を供給することができる。このため、第１パネル及び第２パネルのそれぞれを駆動するための駆動回路を別々に設ける必要がなくなる。この結果、消費電力を大幅に減少でき、さらに、部品点数が少なくなってコストを低減できる。さらに、駆動回路を位置不動に固定することができ、駆動回路を含んだ電機光学パネルが占めるスペースを減少できる。
また、上記構成の電気光学パネルにおいて、前記複数の第２のライン配線と前記一部のライン配線とは、可撓性配線基板を介して電気的に接続されていることを特徴とする。このことは、言い換えれば、第１パネルと第２パネルとを可撓性配線基板によって接続するということである。この場合、可撓性配線基板を折り曲げたり、あるいは適宜の形状にすることにより、第１パネルと第２パネルとの位置関係を所望の関係にすることができる。
また、上記構成の電気光学パネルにおいて、前記複数の第１のライン配線と前記複数の第２のライン配線は、ほぼ直線形状を有し、さらに、前記複数の第１のライン配線と前記複数の第２のライン配線は互いにほぼ平行に配置されていることを特徴とする。こうすれば、第１のライン配線と第２のライン配線とをほぼ最短距離で電気的に接続でき、それ故、両電極に共通して供給される駆動信号の遅延を抑えることができる。
また、上記構成の電気光学パネルにおいて、前記複数の第１のライン配線と前記複数の第２のライン配線は信号線とすることができる。この実施態様によれば、複数の第１のライン配線と前記複数の第２のライン配線とを接続することにより、第１パネルと第２パネルとの間で信号線を共用できる。
また、上記構成の電気光学パネルにおいて、前記複数の第１のライン配線と前記複数の第２のライン配線は走査線であることを特徴とする。この実施態様によれば、複数の第１のライン配線と前記複数の第２のライン配線とを接続することにより、第１パネルと第２パネルとの間で走査線を共用できる。
また、上記構成の電気光学パネルにおいて、前記複数の第１のライン配線の両側には、前記駆動回路と前記第２パネルとを電気的に接続する配線が形成されていることを特徴とする。
また、上記構成の電気光学パネルにおいて、前記第１パネルは、前記駆動回路から信号が供給される前記複数の第１のライン配線が配置された第１基板と、前記駆動回路から信号が供給される第１電極が配置された第２基板とを有し、前記第２パネルは、前記駆動回路から信号が供給される前記複数の第２のライン配線が配置された第３基板と、前記駆動回路から信号が供給される第２電極が配置された第４基板とをすることを特徴とする。
また、上記構成の電気光学パネルにおいて、前記第１パネルには、前記駆動回路と前記第１電極とを電気的に接続する第１配線と、前記駆動回路と前記第２電極とを電気的に接続する第２配線と、前記第１電極と前記第３電極とを電気的に接続する第３配線と、前記駆動回路と前記第４電極とを電気的に接続する第４配線とが配置されることを特徴とする。
また、上記構成の電気光学パネルにおいて、前記第１配線、前記第２配線、前記第３配線および前記第４配線は、前記第１基板上に配置されていることを特徴とする。
また、上記構成の電気光学パネルにおいて、記駆動回路は、前記第１パネルが表示される場合には前記第２パネルへの走査信号の供給を停止し、前記第２のパネルが表示される場合には、前記第１のパネルへの走査信号の供給を停止する機能を有することを特徴とする。この構成によれば、未使用のパネルを未表示とすることができ、消費電力を削減できる。
（１）上記の目的を達成するため、本発明に係る電気光学パネルは、第１パネルと、第２パネルと、前記第１パネル及び前記第２パネルを駆動する駆動回路とを有することを特徴とする。